(57)【特許請求の範囲】
【請求項１】
一つの建物について、空調時室内エンタルピを横軸に、月積算冷熱量を縦軸にした空調時室内エンタルピ−冷熱量散布図であって、当該建物の空調系統のそれぞれについての空調機器の発停状態に対する室内エンタルピと冷熱量との値をプロットし、当該月の外気エンタルピ線を描画した空調時室内エンタルピ−冷熱量散布図によって当該建物の運用状態を把握し、
空調系統を横軸に、月積算空調時冷熱量を一方の縦軸に、月平均空調時室内平均エンタルピを他方の軸にして空調系統のそれぞれについての冷熱量の値を棒状に記入した各系統外冷可否図であって、空調系統のそれぞれについての空調機器の発停状態に対する室内エンタルピと冷熱量との値をプロットし、当該月の外気エンタルピ線を描画した各系統外冷可否図によって各空調系統における外気冷房の要否を判断することを特徴とする建物の消費エネルギー削減のための外気冷房診断手法。
【請求項２】
一つの建物について、空調時室内平均温度を横軸に、月積算冷熱量を縦軸にした空調時室温−冷熱量散布図であって、当該建物の空調系統のそれぞれについての空調機器の発停状態に対する室温度と冷熱量との値をプロットし、当該月の外気温度線を描画した空調時室温−冷熱量散布図によって当該建物の運用状態を把握し、
空調系統を横軸に、月積算空調時冷熱量を一方の縦軸に、月平均空調時室内平均エンタルピを他方の軸にして空調系統のそれぞれについての冷熱量の値を棒状に記入した各系統外冷可否図であって、空調系統のそれぞれについての空調機器の発停状態に対する室内エンタルピと冷熱量との値をプロットし、当該月の外気エンタルピ線を描画した各系統外冷可否図によって各空調系統における外気冷房の要否を判断することを特徴とする建物の消費エネルギー削減のための外気冷房診断手法。
【請求項３】
一つの建物について、空調時室内平均エンタルピを横軸に、月積算外気冷房運転時間を縦軸にした室内エンタルピ−外冷運転時間散布図であって、当該建物の空調系統のそれぞれについての空調機器の発停状態に対する室内エンタルピと外気冷房運転時間との値をプロットし、当該月の外気エンタルピ線を描画した室内平均エンタルピ−外冷運転時間散布図によって当該建物の外気冷房制御に関する運用状態を把握し、
空調系統を横軸に、月積算空調時冷熱量を一方の縦軸に、月平均空調時室内平均エンタルピを他方の軸にして空調系統のそれぞれについての冷熱量の値を棒状に記入した各系統外冷可否図であって、空調系統のそれぞれについての空調機器の発停状態に対する室内エンタルピと冷熱量との値をプロットし、当該月の外気エンタルピ線を描画した各系統外冷可否図によって各空調系統における外気冷房の要否を判断することを特徴とする建物の消費エネルギー削減のための外気冷房診断手法。
【請求項４】
一つの建物について、月積算冷水熱量を横軸に、月積算外気冷房運転時間を縦軸にした冷熱量−外冷運転時間散布図であって、当該建物の空調系統のそれぞれについての空調機器の発停状態をプロットした冷熱量−外冷運転時間散布図によって当該建物の外気冷房制御に関する運用状態を把握し、
空調系統を横軸に、月積算空調時冷熱量を一方の縦軸に、月平均空調時室内平均エンタルピを他方の軸にして空調系統のそれぞれについての冷熱量の値を棒状に記入した各系統外冷可否図であって、空調系統のそれぞれについての空調機器の発停状態に対する室内エンタルピと冷熱量との値をプロットし、当該月の外気エンタルピ線を描画した各系統外冷可否図によって各空調系統における外気冷房の要否を判断することを特徴とする建物の消費エネルギー削減のための外気冷房診断手法。
【請求項５】
一つの建物について、空調時室内エンタルピを横軸に、月積算冷熱量を縦軸にした空調時室内エンタルピ−冷熱量散布図であって、当該建物の空調系統のそれぞれについての空調機器の発停状態に対する室内エンタルピと冷熱量との値をプロットし、当該月の外気エンタルピ線を描画した空調時室内エンタルピ−冷熱量散布図によって当該建物の運用状態を把握し、
空調系統を横軸に、月積算外気冷房運転時間を一方の縦軸に、月積算空調時冷熱量を他方の軸にして空調系統のそれぞれについての冷熱量の値を棒状に記入した各系統外冷運転状況図であって、空調系統のそれぞれについての空調機器の月積算外冷運転時間をプロットした各系統外冷運転状況図によって各空調系統における外気冷房の運転状況を把握することを特徴とする建物の消費エネルギー削減のための外気冷房診断手法。
【請求項６】
一つの建物について、空調時室内平均温度を横軸に、月積算冷熱量を縦軸にした空調時室温−冷熱量散布図であって、当該建物の空調系統のそれぞれについての空調機器の発停状態に対する室温度と冷熱量との値をプロットし、当該月の外気温度線を描画した空調時室温−冷熱量散布図によって当該建物の運用状態を把握し、
空調系統を横軸に、月積算外気冷房運転時間を一方の縦軸に、月積算空調時冷熱量を他方の軸にして空調系統のそれぞれについての冷熱量の値を棒状に記入した各系統外冷運転状況図であって、空調系統のそれぞれについての空調機器の月積算外冷運転時間をプロットした各系統外冷運転状況図によって各空調系統における外気冷房の運転状況を把握することを特徴とする建物の消費エネルギー削減のための外気冷房診断手法。
【請求項７】
一つの建物について、空調時室内平均エンタルピを横軸に、月積算外気冷房運転時間を縦軸にした室内エンタルピ−外冷運転時間散布図であって、当該建物の空調系統のそれぞれについての空調機器の発停状態に対する室内エンタルピと外気冷房運転時間との値をプロットし、当該月の外気エンタルピ線を描画した室内平均エンタルピ−外冷運転時間散布図によって当該建物の外気冷房制御に関する運用状態を把握し、
空調系統を横軸に、月積算外気冷房運転時間を一方の縦軸に、月積算空調時冷熱量を他方の軸にして空調系統のそれぞれについての冷熱量の値を棒状に記入した各系統外冷運転状況図であって、空調系統のそれぞれについての空調機器の月積算外冷運転時間をプロットした各系統外冷運転状況図によって各空調系統における外気冷房の運転状況を把握することを特徴とする建物の消費エネルギー削減のための外気冷房診断手法。
【請求項８】
一つの建物について、月積算冷水熱量を横軸に、月積算外気冷房運転時間を縦軸にした冷熱量−外冷運転時間散布図であって、当該建物の空調系統のそれぞれについての空調機器の発停状態をプロットした冷熱量−外冷運転時間散布図によって当該建物の外気冷房制御に関する運用状態を把握し、
空調系統を横軸に、月積算外気冷房運転時間を一方の縦軸に、月積算空調時冷熱量を他方の軸にして空調系統のそれぞれについての冷熱量の値を棒状に記入した各系統外冷運転状況図であって、空調系統のそれぞれについての空調機器の月積算外冷運転時間をプロットした各系統外冷運転状況図によって各空調系統における外気冷房の運転状況を把握することを特徴とする建物の消費エネルギー削減のための外気冷房診断手法。
【発明の詳細な説明】
【技術分野】
【０００１】
この発明は、建物における空調エネルギー消費状況が最適な状態にあるか否かを診断する方法に関し、複数の建物に関する診断と、建物の各室に関する診断を行って、室内環境やエネルギー効率の状況を把握し易くすることによって、建物の消費エネルギー削減のための外気冷房診断手法に関する。
【背景技術】
【０００２】
地球環境問題の深刻化は、建物における省エネルギーやエネルギー効率の最適化を推進することを要求している。エネルギー削減を図る上において、種々のエネルギー効率の向上を図ることが要求される。このための手法として、ビルエネルギーマネジメントシステム（Building and Energy Management System、以下「BEMS」と略記する。）が導入され、建物の施設内における空調設備や照明設備等を対象として、室内環境や設備の状況を監視し、それらの運転制御を行うことによって、室内環境とエネルギー消費状況の最適化を図ることで、エネルギー削減が図られている。
【０００３】
例えば、特許文献１には、建物で使用されるエネルギーの実績値を目標値以下にするためのビルエネルギー管理装置として、建物で使用されるエネルギーの現時点における実績値を入力し、入力された現時点の実績値と所定期間の目標値とを照合する照合手段と、照合手段による照合結果を月形式の累積グラフ、日形式の累積グラフまたは時間形式の累積グラフのいずれかで、前記所定期間の目標値に対する現時点の状況を表示部に表示させる表示制御手段と、を備えた構成が開示されている。
【０００４】
また、特許文献２には、業務用ビル等の施設におけるエネルギー消費を監視するエネルギー監視装置として、施設内でのエネルギー消費に関するエネルギー消費情報を表示手段に表示するエネルギー監視装置において、所定の計量区分でのエネルギー消費に関する前記エネルギー消費情報を表示する際に、該計量区分を選択するための選択画面であって、上位の階層の計量区分を下位の階層において所定の要素で分別することによって選択可能な計量区分を階層化し、該階層化した各計量区分を選択可能に階層表示した選択画面を前記表示手段に表示させる選択画面表示手段と、前記選択画面表示手段により表示された選択画面において所望の計量区分を選択する選択手段と、前記選択手段により選択された計量区分のエネルギー消費に関するエネルギー消費情報を前記表示手段に表示させるエネルギー消費情報表示手段と、を備えた構成が開示されている。
【０００５】
また、特許文献３には、施設内の多数の計測器からの膨大な計測データに基づき所望の評価を行うためのグラフ表示が容易に行えるエネルギー管理システムのためのグラフ表示装置として、被計測対象に対して設けられた多数の計測器から得られる計測データに基づいて所望の評価を行うためのグラフ表示を入力手段と表示手段を使用してオペレータと対話的に行う施設内のエネルギー管理を行うエネルギー管理システムのためのグラフ表示装置であって、各軸にそれぞれ計測名称又は時間軸が規定された所望の評価を行うための予め作成された多種の元グラフを格納した元グラフ格納手段と、上記各計測器から送られてくる計測データを蓄積して格納する計測データ蓄積格納手段と、上記元グラフ格納手段に格納されたグラフ一覧表を表示してオペレータに使用するグラフの選定を促す手段と、オペレータにより選定された元グラフの計測名称に関する上記計測データ蓄積手段に格納された計測データを表示しオペレータに上記元グラフの各軸に設定する計測データの選定を促す手段と、上記選定された元グラフおよび計測データによるグラフ表示の実行の指示をオペレータに促しこれに対する指示に従って表示を行うグラフ表示手段と、を備えた構成が開示されている。
【先行技術文献】
【特許文献】
【０００６】
【特許文献１】特開２００８−２３６９０４号公報
【特許文献２】特開２００７−１９９７８３号公報
【特許文献３】特開２００５−２５９０６２号公報
【発明の概要】
【発明が解決しようとする課題】
【０００７】
ところで、ビルディング（以下「ビル」と略記する。）の管理を専門に行うビル管理会社等では複数のビル等の建物について管理を行っており、それぞれの建物について室内環境とエネルギー効率の最適化を図ることが行われている。この種の最適化のために、例えば特許文献１に記載されたエネルギー管理装置では、所定期間の目標値が設定され、この目標値と実績値とを照合した照合結果を月形式の累積グラフ等で表示させることが行われている。
【０００８】
他方、ビルの室内環境等の最適化を図るためには、それぞれの室について個別にそれぞれの室内環境等を把握する必要がある。また、ビルの立地等によっても室内環境等が異なるから、複数の建物の管理を行っているビル管理会社等は、個別のビル毎についてそれぞれの室の室内環境等を把握することが必要となる。そして、把握した室内環境等のデータをもとにして、室内環境やエネルギー効率の最適化を図るための空調設備や照明設備等の運転の調整を行うことになる。
【０００９】
ビル管理会社等は、把握した室内環境やエネルギー効率の最適化を図るための空調設備等の運転調整について、建物の所有者に対して説明する。このとき、所有者の理解が容易となるような資料を必要とする。
【００１０】
そこで、この発明は、多くの建物にBEMSが導入されていることに着目して、このBEMSで得られる室内環境等の各種の計測データをもとにして、室内環境やエネルギー効率の最適化のための改善方法を把握しやすい建物の消費エネルギー削減のための外気冷房診断手法を提供することを目的としている。
【課題を解決するための手段】
【００１１】
前記目的を達成するための技術的手段として、この発明に係る建物の消費エネルギー削減のための外気冷房診断手法は、一つの建物について、空調時室内エンタルピを横軸に、月積算冷熱量を縦軸にした空調時室内エンタルピ−冷熱量散布図であって、当該建物の空調系統のそれぞれについての空調機器の発停状態に対する室内エンタルピと冷熱量との値をプロットし、当該月の外気エンタルピ線を描画した空調時室内エンタルピ−冷熱量散布図によって当該建物の運用状態を把握し、空調系統を横軸に、月積算空調時冷熱量を一方の縦軸に、月平均空調時室内平均エンタルピを他方の軸にして空調系統のそれぞれについての冷熱量の値を棒状に記入した各系統外冷可否図であって、空調系統のそれぞれについての空調機器の発停状態に対する室内エンタルピと冷熱量との値をプロットし、当該月の外気エンタルピ線を描画した各系統外冷可否図によって各空調系統における外気冷房の要否を判断することを特徴としている。
【００１２】
前述したBEMSで、建物の空調系統に対する冷熱消費量、温度・湿度と、空調機器の発停状態、外気の温度・湿度とに関するデータを採取させる。なお、空調系統が、建物の各室毎に対応しているものであれば、空調系統に対する冷熱消費量、温度・湿度は各室内の冷熱消費量、温度・湿度である。採取された空調機器の当該月における積算冷熱量と、室内の温湿度から室内のエンタルピを換算して求めてその月平均値を求めて、前記空調時室内エンタルピ−冷熱量散布図に空調系統の冷熱消費量をプロットする。また、この空調時室内エンタルピ−冷熱量散布図に当該月の外気の温湿度から換算した外気エンタルピ線を描画する。このとき、この外気エンタルピ線よりも前記空調系統の冷熱消費量のプロットが右側に位置する場合には、室内平均エンタルピが外気エンタルピよりも大きい場合であるから、当該建物については当該月について外気冷房を行うことが可能となる。
【００１３】
前記外気冷房を行うことが可能となる建物について、前記各系統外冷可否図を参照して、冷熱量が多く、室内エンタルピが高い空調系統が、外気冷房を行うことが好ましいものであることを把握する。
【００１４】
また、請求項２の発明に係る建物の消費エネルギー削減のための外気冷房診断手法は、一つの建物について、空調時室内平均温度を横軸に、月積算冷熱量を縦軸にした空調時室温−冷熱量散布図であって、当該建物の空調系統のそれぞれについての空調機器の発停状態に対する室温度と冷熱量との値をプロットし、当該月の外気温度線を描画した空調時室温−冷熱量散布図によって当該建物の運用状態を把握し、空調系統を横軸に、月積算空調時冷熱量を一方の縦軸に、月平均空調時室内平均エンタルピを他方の軸にして空調系統のそれぞれについての冷熱量の値を棒状に記入した各系統外冷可否図であって、空調系統のそれぞれについての空調機器の発停状態に対する室内エンタルピと冷熱量との値をプロットし、当該月の外気エンタルピ線を描画した各系統外冷可否図によって各空調系統における外気冷房の要否を判断することを特徴としている。
【００１５】
前記空調時室内エンタルピ−冷熱量散布図に代えて空調時室温−冷熱量散布図を用いて建物の運用状態を把握するようにしたものである。この場合、内外温度差と外気冷房可否との間に一定の関係が存しないため、この空調時室温−冷熱量散布図は当該建物の外気冷房可否についての判断の参考として利用することが好ましい。
【００１６】
また、前記外気冷房を行うことが可能となる建物については、前記各系統外冷可否図を参照して、冷熱量が多く、室内エンタルピが高い空調系統が、外気冷房を行うことが好ましいものであることを把握する。
【００１７】
また、請求項３の発明に係る建物の消費エネルギー削減のための外気冷房診断手法は、一つの建物について、空調時室内平均エンタルピを横軸に、月積算外気冷房運転時間を縦軸にした室内エンタルピ−外冷運転時間散布図であって、当該建物の空調系統のそれぞれについての空調機器の発停状態に対する室内エンタルピと外気冷房運転時間との値をプロットし、当該月の外気エンタルピ線を描画した室内平均エンタルピ−外冷運転時間散布図によって当該建物の外気冷房制御に関する運用状態を把握し、空調系統を横軸に、月積算空調時冷熱量を一方の縦軸に、月平均空調時室内平均エンタルピを他方の軸にして空調系統のそれぞれについての冷熱量の値を棒状に記入した各系統外冷可否図であって、空調系統のそれぞれについての空調機器の発停状態に対する室内エンタルピと冷熱量との値をプロットし、当該月の外気エンタルピ線を描画した各系統外冷可否図によって各空調系統における外気冷房の要否を判断することを特徴としている。
【００１８】
前記空調時室内エンタルピ−冷熱量散布図に代えて室内エンタルピ−外冷運転時間散布図を用いて建物の運用状態を把握するようにしたものである。なお、前記外気冷房を行うことが可能となる建物については、前記各系統外冷可否図を参照して判断する。
【００１９】
また、請求項４の発明に係る建物の消費エネルギー削減のための外気冷房診断手法は、一つの建物について、月積算冷水熱量を横軸に、月積算外気冷房運転時間を縦軸にした冷熱量−外冷運転時間散布図であって、当該建物の空調系統のそれぞれについての空調機器の発停状態をプロットした冷熱量−外冷運転時間散布図によって当該建物の外気冷房制御に関する運用状態を把握し、空調系統を横軸に、月積算空調時冷熱量を一方の縦軸に、月平均空調時室内平均エンタルピを他方の軸にして空調系統のそれぞれについての冷熱量の値を棒状に記入した各系統外冷可否図であって、空調系統のそれぞれについての空調機器の発停状態に対する室内エンタルピと冷熱量との値をプロットし、当該月の外気エンタルピ線を描画した各系統外冷可否図によって各空調系統における外気冷房の要否を判断することを特徴としている。
【００２０】
前記空調時室内エンタルピ−冷熱量散布図に代えて冷熱量−外冷運転時間散布図を用いて建物の運用状態を把握するようにしたものである。なお、前記外気冷房を行うことが可能となる建物については、前記各系統外冷可否図を参照して判断する。
【００２１】
また、請求項５の発明に係る建物の消費エネルギー削減のための外気冷房診断手法は、一つの建物について、空調時室内エンタルピを横軸に、月積算冷熱量を縦軸にした空調時室内エンタルピ−冷熱量散布図であって、当該建物の空調系統のそれぞれについての空調機器の発停状態に対する室内エンタルピと冷熱量との値をプロットし、当該月の外気エンタルピ線を描画した空調時室内エンタルピ−冷熱量散布図によって当該建物の運用状態を把握し、空調系統を横軸に、月積算外気冷房運転時間を一方の縦軸に、月積算空調時冷熱量を他方の軸にして空調系統のそれぞれについての冷熱量の値を棒状に記入した各系統外冷運転状況図であって、空調系統のそれぞれについての空調機器の月積算外冷運転時間をプロットした各系統外冷運転状況図によって各空調系統における外気冷房の運転状況を把握することを特徴としている。
【００２２】
前記各系統外冷可否図に代えて各系統外冷運転状況図を用いて空調系統のそれぞれの運転状況を把握するようにしたものである。すなわち、冷熱量が多いにも拘わらず外気冷房運転時間が少ない場合には、外気冷房を行うことでエネルギー効率の向上を果たせることが把握できる。
【００２３】
また、請求項６の発明に係る建物の消費エネルギー削減のための外気冷房診断手法は、一つの建物について、空調時室内平均温度を横軸に、月積算冷熱量を縦軸にした空調時室温−冷熱量散布図であって、当該建物の空調系統のそれぞれについての空調機器の発停状態に対する室温度と冷熱量との値をプロットし、当該月の外気温度線を描画した空調時室温−冷熱量散布図によって当該建物の運用状態を把握し、空調系統を横軸に、月積算外気冷房運転時間を一方の縦軸に、月積算空調時冷熱量を他方の軸にして空調系統のそれぞれについての冷熱量の値を棒状に記入した各系統外冷運転状況図であって、空調系統のそれぞれについての空調機器の月積算外冷運転時間をプロットした各系統外冷運転状況図によって各空調系統における外気冷房の運転状況を把握することを特徴としている。
【００２４】
前記空調時室内エンタルピ−冷熱量散布図に代えて空調時室温−冷熱量散布図を用いて空調系統のそれぞれの運転状況を把握するようにしたものである。なお、空調系統のそれぞれについては、前記各系統外冷運転状況図を参照するものである。
【００２５】
また、請求項７の発明に係る建物の消費エネルギー削減のための外気冷房診断手法は、一つの建物について、空調時室内平均エンタルピを横軸に、月積算外気冷房運転時間を縦軸にした室内エンタルピ−外冷運転時間散布図であって、当該建物の空調系統のそれぞれについての空調機器の発停状態に対する室内エンタルピと外気冷房運転時間との値をプロットし、当該月の外気エンタルピ線を描画した室内平均エンタルピ−外冷運転時間散布図によって当該建物の外気冷房制御に関する運用状態を把握し、空調系統を横軸に、月積算外気冷房運転時間を一方の縦軸に、月積算空調時冷熱量を他方の軸にして空調系統のそれぞれについての冷熱量の値を棒状に記入した各系統外冷運転状況図であって、空調系統のそれぞれについての空調機器の月積算外冷運転時間をプロットした各系統外冷運転状況図によって各空調系統における外気冷房の運転状況を把握することを特徴としている。
【００２６】
前記空調時室内エンタルピ−冷熱量散布図に代えて前記室内エンタルピ−外冷運転時間散布図を用いて空調系統のそれぞれの運転状況を把握するようにしたものである。なお、空調系統のそれぞれについては、前記各系統外冷運転状況図を参照するものである。
【００２７】
また、請求項８の発明に係る建物の消費エネルギー削減のための外気冷房診断手法は、一つの建物について、月積算冷水熱量を横軸に、月積算外気冷房運転時間を縦軸にした冷熱量−外冷運転時間散布図であって、当該建物の空調系統のそれぞれについての空調機器の発停状態をプロットした冷熱量−外冷運転時間散布図によって当該建物の外気冷房制御に関する運用状態を把握し、空調系統を横軸に、月積算外気冷房運転時間を一方の縦軸に、月積算空調時冷熱量を他方の軸にして空調系統のそれぞれについての冷熱量の値を棒状に記入した各系統外冷運転状況図であって、空調系統のそれぞれについての空調機器の月積算外冷運転時間をプロットした各系統外冷運転状況図によって各空調系統における外気冷房の運転状況を把握することを特徴としている。
【００２８】
前記空調時室内エンタルピ−冷熱量散布図に代えて前記冷熱量−外冷運転時間散布図を用いて空調系統のそれぞれの運転状況を把握するようにしたものである。なお、空調系統のそれぞれについては、前記各系統外冷運転状況図を参照するものである。
【発明の効果】
【００２９】
この発明に係る建物の消費エネルギー削減のための外気冷房診断手法によれば、ビル管理会社等は管理の対象となっている複数のビル等の建物について前記空調時室内エンタルピ−冷熱量散布図等によっていずれの建物が、その建物の室内環境やエネルギー効率の改善を行うのに有効であるか否かを判断できる。そして、前記各系統外冷可否図等に基づいて、対象となった建物のいずれの空調系統、すなわち各室のいずれについて室内環境やエネルギー効率を有効に改善できるかを判断できる。この判断に基づいて空調系統の運転状況等の改善を提案する際に、前記各系統外冷可否図等を利用して説明することによって、当該建物の所有者が当該図から改善の必要性を容易に理解できる。
【図面の簡単な説明】
【００３０】
【図１】一つの建物についての中間期（９〜11月）の「空調時室エンタルピ−冷熱量散布図」を示している。
【図２】一つの建物についての中間期（９〜11月）の「空調時室温−冷熱散布図」を示している。
【図３】一つの建物についての中間期（９月〜11月）の「室内エンタルピ−外冷運転時間散布図」を示している。
【図４】一つの建物についての中間期（９月〜11月）における「冷熱量−外冷運転時間散布図」を示している。
【図５】Ａビルの空調系統についての中間期（９月〜11月）の「各系統外冷可否図」である。
【図６】Ｂビルの空調系統についての中間期（９月〜11月）の「各系統外冷可否図」である。
【図７】Ｃビルの空調系統についての中間期（９月〜１１月）の「各系統外冷運転状況図」である。
【図８】Ｄビルの空調系統についての中間期（９月〜１１月）の「各系統外冷運転状況図」である。
【発明を実施するための形態】
【００３１】
以下、図示した好ましい実施の形態に基づいて、この発明に係る建物の消費エネルギー削減のための外気冷房診断手法を具体的に説明する。なお、診断に資するための各図を描くために必要なデータは、それぞれの建物の室内の温度・湿度と空調系統のそれぞれについての空調機器の発停情報、外気の温度・湿度であり、前記BEMSによって取得される。
【００３２】
図１は一つの建物についての中間期（９〜11月）の「空調時室エンタルピ−冷熱量散布図」を示すものであり、横軸に空調時室内エンタルピを、縦軸に月積算冷熱（水）量をそれぞれ設定してある。この図上に当該建物についての各室の空調時における温湿度から換算したエンタルピの平均値と当該室の空調系統で消費された冷熱量の値をプロット（◇）する。さらに、外気の温湿度から換算した月次の外気エンタルピ線１を描画する。図１においては、10月の前後半と11月の前後半とについて描画してある。前記プロット（◇）がこの外気エンタルピ線１よりも右側に位置している状態では、外気を導入することにより室内温度を低下させることが可能となり、同図においては10月後半より外気導入による冷房が可能となる。
【００３３】
そして、管理対象となっている建物のそれぞれについて図１に示す「空調時室エンタルピ−冷熱量散布図」を作成することによって、各建物の空調環境やエネルギー効率の評価に資することができる。
【００３４】
また、図１は空調系統の発停状態からの冷熱量につていはプロットしてあるが、当該建物のいずれの室における冷熱量の値かが不明である。特に、図１では、冷熱量が比較的多い室が数室存しており、外気冷房を行うことによって空調機器の稼働時間を短縮してエネルギー効率を改善できる可能性が存していることが判る。しかし、いずれの室に対応した空調系統の稼働時間が長いのかが不明であるので、いずれの空調系統かを判別する必要がある。この判別については後述する。
【００３５】
また、図２は第２の実施形態を示す図であり、一つの建物についての中間期（９〜11月）の「空調時室温−冷熱散布図」を示している。すなわち、横軸に空調時室内平均温度を、縦軸に月積算冷熱（水）量をそれぞれ設定して、この図上に当該建物についての各室の空調時における室内平均温度と当該室の空調系統で消費された冷熱量の値をプロット（◇）する。さらに、月次の外気温度線２を描画する。図２においては、10月の前後半と11月の前後半とについて描画してあり、これら外気温度線２とプロット(◇)との位置関係を確認する。なお、内外温度差と外気冷房可否との間には一定の明確な関係が存しないから、この位置関係は参考しての判断材料とする。
【００３６】
この図２に示す「空調時室温−冷熱散布図」を各建物のそれぞれについて作成すれば、それぞれの建物の運用状態の評価に資することができる。なお、冷水量が多い室が該当する建物のいずれの室であるかの判別については、後述する。
【００３７】
また、図３は第３の実施形態を示す図であり、一つの建物についての中間期（９月〜11月）の「室内エンタルピ−外冷運転時間散布図」を示している。すなわち、横軸に空調時室内平均エンタルピを、縦軸に月積算外気冷房運転時間を設定し、当該建物についての各室の空調時における温湿度から換算したエンタルピの平均値と当該室の空調系統で消費された冷熱量の値をプロット（◇）する。さらに、外気の温湿度から換算した月次の外気エンタルピ線３を描画する。図３においては、10月の前後半と11月の前後半とについて描画してある。前記プロット（◇）がこの外気エンタルピ線３よりも右側に位置している状態では、外気を導入することにより室内温度を低下させることが可能となり、同図においては10月後半より外気導入による冷房が可能となる。
【００３８】
この図３に示す「室内エンタルピ−外冷運転時間散布図」を各建物のそれぞれについて作成すれば、それぞれの建物の運用状態の評価に資することができる。この場合、前記外気エンタルピ線の右側にプロット（◇）が存している場合には、該当する空調系統に係る室での外気冷房制御が良好であると判断できる。なお、各室についての外気冷房制御の良否の判別については、後述する。
【００３９】
図４には、第４実施形態に係る図として、一つの建物についての中間期（９月〜11月）における「冷熱量−外冷運転時間散布図」を示している。これは横軸に冷熱（水）量を、縦軸に外冷運転時間を設定し、当該建物についての各室に対する空調系統の外気冷房運転時間をプロット（◇）する。
【００４０】
この図４に示す「冷熱量−外冷運転時間散布図」を各建物のそれぞれについて作成すれば、それぞれの建物の外気冷房による運転状況を把握できる。このとき、「冷熱量−外冷運転時間散布図」において、冷熱量が多くなるに伴われて外冷運転時間が長くなることが好ましい。また、この「冷熱量−外冷運転時間散布図」では、各建物における外気冷房の運転状況を把握できるのみであり、当該建物の各室における外気冷房の運転状況の判別については、後述する。
【００４１】
前記図１〜図４に示すそれぞれの図によって、室内環境やエネルギー効率を改善できる可能性のある建物が把握できたならば、該当する建物のいずれの空調系統あるいは該空調系統に対応した室について改善を行うことが有効かを判断することを要する。この判断を、図５〜図８を参照して説明する。
【００４２】
図５及び図６は、一つの建物の空調系統についての中間期（９月〜11月）の「各系統外冷可否図」であり、図５はＡビルについて、図６はＢビルについて、それぞれ示している。この「各系統外冷可否図」は、空調系統名を横軸に、月積算空調時冷熱量を縦軸の一方に、月平均空調時室内平均エンタルピを他方の縦軸に設定してある。この図に、冷熱量が多い空調系統順に該冷熱量を棒状に並べて棒グラフを作成してある。また、室温湿度から室エンタルピを換算して、各空調系統に対応させてプロット（◇）してある。さらに、外気の温湿度から換算した月次の外気エンタルピ線４を描画する。図５及び図６においては、10月の前後半と11月の前後半とについて描画してある。前記プロット（◇）がこの外気エンタルピ線４よりも上側に位置している状態では、外気を導入することにより室内温度を低下させることが可能となる。
【００４３】
そして、冷熱量が多く、室エンタルピが高い空調系統に対して外気冷房を推奨する系統を特定することができる。このため、この「各系統外冷可否図」を建物の所有者や管理者等に提示して室内環境やエネルギー効率の改善に関するアドバイス等を行うことができる。
【００４４】
また、図７及び図８は、一つの建物の空調系統についての中間期（９月〜１１月）の「各系統外冷運転状況図」であり、図７はＣビルについて、図８はＤビルについて、それぞれ示している。この「各系統外冷運転状況図」は、空調系統を横軸に、月積算空調時冷熱量を縦軸の一方に、月積算外冷運転時間を他方の縦軸に設定してある。この図に、冷熱量が多い空調系統順に該冷熱量を棒状にして並べて棒グラフを作成してある。外冷運転時間を、各空調系統に対応させてプロット（◇）してある。
【００４５】
すなわち、前記図１〜図４に示したいずれかの図によって、複数の建物についての室内環境やエネルギー効率の改善の可否の判断を行い、改善が可能と判断された建物について、当該建物に応じて作成された図５、図６に示す「各系統外冷可否図」、または図７、図８に示す「各系統外冷運転状況図」の一方あるいは双方を提示して、当該建物の所有者に説明する。これら図５〜図８に示す図では、外気冷房運転を行うことの利点が容易に把握できて、外気冷房運転の要否判断を迅速に行うことができ、室内環境やエネルギー効率の改善を果たすことができる。
【産業上の利用可能性】
【００４６】
この発明に係る建物の消費エネルギー削減のための外気冷房診断手法によれば、建物の所有者が室内環境やエネルギー効率の改善の要否を容易に把握できるので、これらの改善の促進に寄与する。
【符号の説明】
【００４７】
１  外気エンタルピ線
２  外気温度線
３  外気エンタルピ線
４  外気エンタルピ線
【図１】
0005325918.tif 000002
【図２】
0005325918.tif 000003
【図３】
0005325918.tif 000004
【図４】
0005325918.tif 000005
【図５】
0005325918.tif 000006
【図６】
0005325918.tif 000007
【図７】
0005325918.tif 000008
【図８】
0005325918.tif 000009